(57)【要約】【課題】  本発明は、前板を複数の分割板で構成したときに、分割板相互間で発生が予想される面段差の発生を抑制することを課題とする。【解決手段】  図（ｂ）は（ａ）のｂ−ｂ線断面図であり、下位分割板３０から延ばした係止片３９が上位分割板６０の裏面に係合していることを示す。下位分割板３０が固定されていれば、上位分割板６０は係合片３６の作用により、図左へ移動することはない。仮に、上位分割板６０が固定されていれば、下位分割板３０は係合片３９の作用により、図右へ移動することはない。（ｃ）は（ａ）のｃ−ｃ線断面図であり、上位分割板６０から延ばした係止片６６が下位分割板３０の裏面に係合していることを示す。下位分割板３０が固定されていれば、上位分割板６０は係合片６６の作用により、図右へ移動することはない。【選択図】      図９
2005048513.tif 000002
【特許請求の範囲】
【請求項１】
配管類を収納する配管フレームとこの配管フレームの前面を覆う化粧板とからなる配管ユニットであって、
前記化粧板は、互いに隣り合う複数枚の分割板で構成し、任意の分割板から隣の分割板の裏面に達する係止片を延ばすと共に、この隣の分割板から前記任意の分割板の裏面に達する係止片を延ばし、これらの係止片により隣り合う分割板同士を係止したことを特徴とする配管ユニット。
【請求項２】
前記任意の分割板から延びる係止片を前記配管フレームに固定することで、前記配管フレームに前記任意の化粧板を固定したことを特徴とする請求項１記載の配管ユニット。
【請求項３】
前記係止片は、分割板の裏面にビス若しくは同等の締結部品により取外し可能に固定したことを特徴とする請求項１又は請求項２記載の配管ユニット。
【請求項４】
任意の分割板から延ばす係止片は少なくとも２個設け、これらの係止片の内側又は外側に隣の分割板から延ばす少なくとも２個の係止片を配置したことを特徴とする請求項１、請求項２又は請求項３記載の配管ユニット。
【請求項５】
任意の分割板から延ばす係止片と隣の分割板から延ばした係止片との間に１ｍｍ〜５ｍｍの範囲の隙間を設けたことを特徴とする請求項４記載の配管ユニット。
【請求項６】
前記係止片は、その先端部を前記配管フレーム側へ曲げたことを特徴とする請求項１〜５のいずれか１項記載の配管ユニット。
【発明の詳細な説明】
【技術分野】
【０００１】
本発明は、駆体壁に沿って配置する配管ユニットの改良に関する。
【背景技術】
【０００２】
洋風便器を例に説明すると、洋風便器へ水を供給する給水管、洋風便器から汚水を排出する汚水管（これらを配管類と呼ぶ。）を、洋風便器に接続する必要がある。給水管には、ロータンク又はフラッシュバルブを介設する必要がある。
一般の家庭のトイレルームにおいては、ロータンク又はフラッシュバルブは露出させ、給水管の一部を露出させることが多い。しかし、フラッシュバルブなどは見栄えが良いとは言えない。
【０００３】
そこで、ロータンク又はフラッシュバルブ及び給水管を、配管ユニットと称する箱体に収納して外観性を高める技術が提案され、実用化されてきた。
この様な配管ユニットについて幾つかの提案がなされている（例えば、特許文献１参照。）。
【０００４】
【特許文献１】特開平８−６８０８３号公報
【０００５】
図１２は特許文献１の図１の再掲図であり、（Ａ）には、アジャストボルト１４２に嵌合孔１４４を嵌合し、且つアジャストボルト１４０を受具１４６に載せることが、矢印付き想像線で示されている。そして、（Ｂ）では下段の前板３０Ｂの上方に上段の前板３０Ａを取付けた形態が示されている。
【０００６】
前記アジャストボルト１４２の外径をｄ、前記嵌合孔１４４の径をＤとすれば、一般にＤ＝ｄ＋（１〜２）ｍｍに設定される。すなわち１〜２ｍｍのクリアランスを見込む。アジャストボルト１４２の僅かな傾きや嵌合孔１４４の位置のずれを見込むとｍｍ単位のクリアランスは必須となるからである。
この様なクリアランスがあるために上段の前板３０Ｂの取付けは円滑に行えることになる。
【０００７】
作業が円滑に行える代償として、クリアランスの約１／２に相当する０．５〜１．０ｍｍだけ、上段の前板３０Ａが図右へ出る可能性がある。下段の前板３０Ｂに対して上段の前板３０Ａが０．５〜１．０ｍｍ前へ出ると、面段差と称する段差が発生する。この面段差は見栄えを悪くするので、好ましくない。
【発明の開示】
【発明が解決しようとする課題】
【０００８】
そこで、本発明は、前板を複数の分割板で構成したときに、分割板相互間で発生が予想される面段差の発生を抑制することを課題とする。
【課題を解決するための手段】
【０００９】
請求項１に係る発明は、配管類を収納する配管フレームとこの配管フレームの前面を覆う化粧板とからなる配管ユニットであって、前記化粧板は、互いに隣り合う複数枚の分割板で構成し、任意の分割板から隣の分割板の裏面に達する係止片を延ばすと共に、この隣の分割板から前記任意の分割板の裏面に達する係止片を延ばし、これらの係止片により隣り合う分割板同士を係止したことを特徴とする。
【００１０】
分割板は配管フレームに沿わせるため、分割板が奥へ移動する心配はない。また、多くの配管ユニットに洋風便器、小便器、洗面器などの衛生陶器を取付ける。この衛生陶器が一部の分割板の前への移動を阻止する役割を果たす。
そこで、分割板の裏面に達する係止片を、任意の分割板から隣の分割板へ互いに延ばし、これらの係止片により隣り合う分割板同士を係止すれば、分割板が前にせり出す心配はなく、面段差の発生を防止することができる。
【００１１】
請求項２に係る発明は、任意の分割板から延びる係止片を配管フレームに固定することで、配管フレームに任意の化粧板を固定したことを特徴とする。
【００１２】
任意の分割板や隣の分割板を抑える役割を果たす衛生陶器が存在しないときには、任意の化粧板を配管フレーム側に固定することで、隣の分割板を含む複数の分割板が前へせり出すことを防止する。
加えて、分割板から延びる係止片を配管フレームに固定するため、分割板本体を配管フレームに固定するよりは、固定を容易に行うことができる。
【００１３】
請求項３に係る発明では、係止片は、分割板の裏面にビス若しくは同等の締結部品により取外し可能に固定したことを特徴とする。
【００１４】
係止片は分割板に溶接などで接着固定しても良いが、係止片の位置変更が困難となる。この点、請求項３は係止片を締結部品で分割板に締結したので、随時、係止片を外し、付け替えることで、係止片の位置を容易に変更することができる。
【００１５】
請求項４に係る発明は、任意の分割板から延ばす係止片は少なくとも２個設け、これらの係止片の内側又は外側に隣の分割板から延ばす少なくとも２個の係止片を配置したことを特徴とする。
【００１６】
任意の分割板から少なくとも２個の係止片を延ばし、これらの２個の係止片の内側又は外側に隣の分割板側の２個の係止片を配置した。隣の分割板はそれの係止片が、任意の分割板側の係止片に当たるまで、移動可能であるが、それを超えて移動することはない。同様に任意の分割板も隣の分割板側の係止片に当たるまで、移動可能であるが、それを超えて移動することはない。
この結果、分割板の横移動を適正範囲に抑えることができる。
【００１７】
請求項５に係る発明は、任意の分割板から延ばす係止片と隣の分割板から延ばした係止片との間に１ｍｍ〜５ｍｍの範囲の隙間を設けたことを特徴とする。
【００１８】
係止片同士の隙間を１ｍｍ未満にすると、製作誤差や組立誤差をも考慮した場合に係止片同士が接触しやすくなり、化粧板の取付け作業が難しくなる。また、化粧板の周囲にフィラー・幅木と称する縁を設けるが、係止片同士の隙間が５ｍｍを超えると、横ずれが過大となり、標準のフィラー・幅木で吸収できなくなる、若しくはフィラー・幅木を広幅にする必要がある。
そこで、係止片同士の隙間を１ｍｍ〜５ｍｍの範囲に設定することにした。
【００１９】
請求項６に係る発明では、係止片は、その先端部を配管フレーム側へ曲げたことを特徴とする。
【００２０】
係止片の先端部を曲げておけば、隣の分割板の背面へ差し込むときに、係止片の先端部が隣の分割板に当たる心配がなく、且つ曲げ部がガイド面となって、差し込みをより円滑に行うことができる。
【発明の効果】
【００２１】
請求項１に係る発明では、化粧板は、互いに隣り合う複数枚の分割板で構成し、任意の分割板から隣の分割板の裏面に達する係止片を延ばすと共に、この隣の分割板から任意の分割板の裏面に達する係止片を延ばし、これらの係止片により隣り合う分割板同士を係止した。
【００２２】
係止片により隣り合う分割板同士を係止させるので、分割板が前にせり出す心配はなく、面段差の発生を防止することができる。
この結果、化粧板の外観性を良好に保つことができ、配管ユニットの品質を高めることができる。
加えて、係止片の数を増すことで分割板の大型化が可能であるため、本発明によれば化粧板の大型化、すなわち配管ユニットの大型化が容易に達成できる。
【００２３】
請求項２に係る発明によれば、任意の分割板や隣の分割板を抑える役割を果たす衛生陶器が存在しないときにも、任意の化粧板を配管フレーム側に固定することで、隣の分割板を含む複数の分割板が前へせり出すことを防止することができる。
【００２４】
請求項３に係る発明では、係止片は、分割板の裏面にビス若しくは同等の締結部品により取外し可能に固定した。
係止片は分割板に溶接などで接着固定しても良いが、係止片の位置変更が困難となる。この点、請求項３は係止片を締結部品で分割板に締結したので、随時、係止片を外し、付け替えることで、係止片の位置を容易に変更することができる。
【００２５】
請求項４に係る発明は、任意の分割板から少なくとも２個の係止片を延ばし、これらの２個の係止片の内側又は外側に隣の分割板側の２個の係止片を配置した。隣の分割板はそれの係止片が、任意の分割板側の係止片に当たるまで、移動可能であるが、それを超えて移動することはない。同様に任意の分割板も隣の分割板側の係止片に当たるまで、移動可能であるが、それを超えて移動することはない。
この結果、分割板の横移動を適正範囲に抑えることができる。
【００２６】
請求項５に係る発明は、任意の分割板から延ばす係止片と隣の分割板から延ばした係止片との間に１ｍｍ〜５ｍｍの範囲の隙間を設けた。
係止片同士の隙間を１ｍｍ未満にすると、製作誤差や組立誤差をも考慮した場合に係止片同士が接触しやすくなり、化粧板の取付け作業が難しくなる。また、化粧板の周囲にフィラー・幅木と称する縁を設けるが、係止片同士の隙間が５ｍｍを超えると、横ずれが過大となり、標準のフィラー・幅木で吸収できなくなる、若しくはフィラー・幅木を広幅んにする必要がある。
係止片同士の隙間を１ｍｍ〜５ｍｍの範囲に設定することでこれらの問題を容易に克服することができ、分割板の取付け工事が容易となり、且つ化粧板の外観性を高めることができる。
【００２７】
請求項６に係る発明では、係止片は、その先端部を配管フレーム側へ曲げたことを特徴とする。係止片の先端部を曲げておけば、隣の分割板の背面へ差し込むときに、係止片の先端部が隣の分割板に当たる心配がなく、且つ曲げ部がガイド面となって、差し込みをより円滑に行うことができる。
この結果、分割板の取付け工数を削減することができ、配管ユニットの施工費を低減することが可能となる。
【発明を実施するための最良の形態】
【００２８】
本発明を実施するための最良の形態を添付図に基づいて以下に説明する。
図１は本発明に係る配管ユニットを備えるトイレルームの斜視図であり、トイレルーム１０の奥壁１１に、配管ユニット２０を沿わせ、この配管ユニット２０に衛生陶器の一つである洋風便器２１を沿わせたトイレルームの要部を示す。１２は水洗センサであり、この水洗センサ１２に軽く触れる又は手をかざすことにより、洋風便器２１へ所定量の水洗水を供給することができる。また、１３はカウンターであり、配管ユニット１０の上面部材であり、カウンター１３は化粧部材であると共に所定重量以下であれば物を載せることができる。
【００２９】
配管ユニット２０の前面は化粧板２２で覆うが、本例では化粧板２２は水平の分割線２３で上下に分割した下位分割板３０と上位分割板６０とで構成する。以下、分割板３０、６０について詳しく説明する。すなわち、本発明の「任意の分割板」は下位分割板３０を例に説明し、「隣の分割板」は上位分割板６０を例に説明する。
【００３０】
図２は本発明に係る下位分割板の正面図であり、下位分割板３０は、横長の矩形板であり、給水管を通すための開口部３１及び汚水管を通す開口部３２を備える。
【００３１】
図３は図２の３−３線断面図であり、下位分割板３０は、大きなコ字断面の化粧鋼板３３の上下縁に軽量溝形鋼３４、３５を図面表裏方向に渡して、これらの軽量溝形鋼３４、３５を化粧鋼板３３に溶接接合などで一体化し、且つ化粧鋼板３３の裏に石膏ボード３６を張ったパネルであり、本発明では、下の軽量溝形鋼３５の底面にフック３７をビス３８で取付け、上の軽量溝形鋼３４の底面に帯板状の係止片３９をビス４１、４１で取付け、係止片３９を上へ張り出したことを特徴とする。なお、化粧鋼板は、薄い鋼板の片面に化粧を施した形態で入手する鋼板を意味する。
【００３２】
図４は本発明に係る配管フレームの斜視図であり、配管フレーム４２は、給水管４３や汚水管４４を収納するために、床４５と奥壁１１と共に縦長矩形の空間を形成すべく、縦メンバー４７、４７、４８、４８と横メンバー４９、４９とで側面視Ｌ字（正しくは逆Ｌ字）を呈するように構成した枠体であり、この枠体に適宜水平メンバー５１、５２、５３、５４を渡してなる枠体である。
この様な配管フレーム４２の正面に、本発明の下位分割板３０を臨ませる。
【００３３】
図５は本発明に係る下位分割板の固定要領図であり、配管フレーム４２の所定位置に下位分割板３０をセットした後に、好ましくは、水平メンバー５４へビス５５、５５、５５により係止片３９、３９、３９を固定する。これで、下位分割板３０は配管フレーム４２に一体化できたことになる。勿論、ビス５５・・・（・・・は複数個を示す。以下同様）を外し、下位分割板３０を位置調整した後、再度ビス５５・・・を取付けることで、下位分割板３０位置を必要に応じて微調整することは可能である。
【００３４】
次に、上位分割板６０について説明する。
図６は本発明に係る上位分割板の正面図であり、上位分割板６０は、横長の矩形板であり、水洗センサなどを取付けるための開口部６１を備える。
【００３５】
図７は図６の７−７線断面図であり、上位分割板６０は、大きなコ字断面の化粧鋼板６２の上下縁に軽量溝形鋼６３、６４を図面表裏方向に渡して、これらの軽量溝形鋼６３、６４を化粧鋼板６２に溶接接合などで一体化し、且つ化粧鋼板６２の裏に石膏ボード６５を張ったパネルであり、本発明では、下の軽量溝形鋼６４の底面に帯板状の係止片６６をビス６７、６７で取付け、係止片６６を下へ張り出し、且つ係止片６６の先端部６８を図左へ角度θだけ曲げたことを特徴とする。なお、角度θは、作図の都合で大きめに図示した（以下同様）。
【００３６】
図６に戻って、上位分割板６０から下へ延ばす係止片６６・・・は、想像線で示した下位分割板３０側の係止片３９・・・に当たらぬ位置に位置決めすると共に、対向する係止片３９、６６同士に適量の隙間Ｌ、Ｌを持たせる。さらに、上位の係止片６６、６６は下位の係止片３９、３９の内側に収まるように位置決めする。この理由並びに隙間Ｌ、Ｌの好適な値は後述する。
【００３７】
図８は本発明に係る上位分割板の取付け要領図であり、いわゆる引き戸を鴨居に取付けるのと同様に、配管フレーム４２の上部に渡し且つ下方へ開口させた溝形鋼７１に矢印ａのごとく上位分割板６０の上部を十分に差し込み、次に矢印ｂのごとく下げつつ、係止片６６を、下位分割板３０の裏（計量形鋼３４の裏）に差し込む。実線で示した先端部６８は下位分割３０の上端に当たらずに、想像線で示す先端部６８の位置まで差し込むことができる。従って、係止片６６の先端部６８を曲げたことにより、上位分割板６０の取付け工数を低減することができる。
【００３８】
図９は本発明の係止片の作用説明図である。
（ａ）は下位分割板３０に上位分割板６０を連続させてなる化粧板２２の正面図である。
（ｂ）は（ａ）のｂ−ｂ線断面図であり、下位分割板３０から上へ延ばした係止片３９が上位分割板６０の裏面に係合していることを示す。下位分割板３０が固定されていれば、上位分割板６０は係合片３６の作用により、図左へ移動することはない。仮に、上位分割板６０が固定されていれば、下位分割板３０は係合片３９の作用により、図右へ移動することはない。
【００３９】
（ｃ）は（ａ）のｃ−ｃ線断面図であり、上位分割板６０から下へ延ばした係止片６６が下位分割板３０の裏面に係合していることを示す。下位分割板３０が固定されていれば、上位分割板６０は係合片６６の作用により、図右へ移動することはない。仮に、上位分割板６０が固定されていれば、下位分割板３０は係合片６６の作用により、図左へ移動することはない。
【００４０】
なお、図５にて下位分割板３０をビス５５・・・により配管フレーム側の水平メンバー５４に固定したが、ビス５５・・・（次の図１０も参照）は省くことができる。
配管ユニットでは多くの場合、（ｃ）に想像線で示した洋風便器２１又は小便器、洗面器などの衛生陶器に、下位分割板３０を抑える役割をもたせることができる。この場合には、ビス５５・・・を省くことができる。
【００４１】
図１０は先端部を曲げた係止片の作用説明図であり、上位分割板６０から延ばした係止片６６は、その先端部６８を図左へ角度θだけ曲げておけば、先端部６８が下位分割板３０の上面に当たることなく円滑に、下位分割板３０の裏面に差し入れることができる。この結果、上位分割板６０を短時間で配管フレーム４２に組付けることができる。
なお、図面では強調して先端部６８を曲げたが、正しくは水平メンバー５４との干渉を避けるために、比較的小さな曲げに留める。
【００４２】
図１１は本発明に係る係止片間の隙間の説明図であり、下位分割板３０から延ばした係止片６６と、上位分割板６０から延ばした係止片６６との間の隙間Ｌは、１〜５ｍｍの範囲から設定することが望ましい。下位分割板３０が固定されていても、上位分割板６０は想像線で示すとおりに寸法Ｌまでは横移動する可能性がある。
ところで、配管ユニットでは左右端に分割板３０、６０と同色のフィラー・幅木７２を設けるため、このフィラー・幅木７２から外れなければ、上位分割板６０を横移動させることが可能となる。
【００４３】
係止片３９、６６同士の隙間を１ｍｍ未満にすると、製作誤差や組立誤差をも考慮した場合に係止片同士が接触しやすくなり、化粧板の取付け作業が難しくなる。また、係止片同士３９、６６の隙間が５ｍｍを超えると、横ずれが過大となり、標準のフィラー・幅木７２の幅でで吸収できなくなる、若しくはフィラー・幅木を広幅にする必要がある。
そこで、係止片３９、６６同士の隙間を１ｍｍ〜５ｍｍの範囲に設定することが望ましい。
【００４４】
尚、以上の実施の形態では、化粧板を上下二分割したが、この分割数を増加し三分割以上であっても差し支えない。また、分割線は、水平に限らず、鉛直であっても良い。要は任意の分割板から隣の分割板の裏面に達する係止片を延ばすと共に、この隣の分割板から前記任意の分割板の裏面に達する係止片を延ばし、これらの係止片により隣り合う分割板同士を係止することを基本的な構成とするため、分割線の向きや分割の数に制約されることはないからである。
【００４５】
また、化粧板は配管ユニットの前板、前面板（化粧の有無を問わない）であれば、表面の色、凹凸、仕上げ状態は任意である。
本例では、上位の係止片６６、６６を、下位の係止片３９、３９の内側に収まるように位置決めしたが、上位の係止片６６、６６を、下位の係止片３９、３９の外側に収まるようにしても、同じ効果を実現できる。
【００４６】
更には、請求項１では、係止片は、分割板から延ばした後に、配管ケース側にビスなどで固定化するか否かは任意である。
請求項２では、係止片は分割板に溶接止めすること、ビス止めすること、又は同等の手法で止めることの何れであっても良い。
請求項３、４では、係止片の数やピッチは適宜決定することができる。
請求項５では、係止片は先端が直線であっても良い。
【００４７】
また、本発明の配管ユニットは、トイレルームの他、キッチン、化粧コーナなどに配置することができるので、配管ユニットの配置場所は任意である。
【産業上の利用可能性】
【００４８】
本発明は駆体壁に沿って配置した配管類を内蔵する配管ユニットに好適である。
【図面の簡単な説明】
【００４９】
【図１】本発明に係る配管ユニットを備えるトイレルームの斜視図である。
【図２】本発明に係る下位分割板の正面図である。
【図３】図２の３−３線断面図である。
【図４】本発明に係る配管フレームの斜視図である。
【図５】本発明に係る下位分割板の固定要領図である。
【図６】本発明に係る上位分割板の正面図である。
【図７】図６の７−７線断面図である。
【図８】本発明に係る上位分割板の取付け要領図である。
【図９】本発明の係止片の作用説明図である。
【図１０】先端部を曲げた係止片の作用説明図である。
【図１１】本発明に係る係止片間の隙間の説明図である。
【図１２】特許文献１の図１の再掲図である。
【符号の説明】
【００５０】
２０…配管ユニット、２２…化粧板、３０…下位分割板、３９…下位分割板から延ばした係止片、４１…係止片３９を固定するビス、４２…配管フレーム、５５…係止片３９を配管フレームに固定するビス、６０…上位分割板、６６…上位分割板から延ばした係止片、６７…係止片６６を固定するビス、６８…先端部、Ｌ…係止片同士の隙間。
【図１】
2005048513.tif 000003
【図２】
2005048513.tif 000004
【図３】
2005048513.tif 000005
【図４】
2005048513.tif 000006
【図５】
2005048513.tif 000007
【図６】
2005048513.tif 000008
【図７】
2005048513.tif 000009
【図８】
2005048513.tif 000010
【図９】
2005048513.tif 000011
【図１０】
2005048513.tif 000012
【図１１】
2005048513.tif 000013
【図１２】
2005048513.tif 000014